(57)【特許請求の範囲】
【請求項１】
反射部と透過部を有する半透過型液晶表示装置において、
相互に対向する第１及び第２基板と、
前記第２基板の内側表面に形成され、前記反射部と前記透過部の間の第１境界線を有する画素電極と、
前記第１基板の内側表面に形成され、前記画素電極の第１境界線の垂直上方または下方位置に一致せず合着公差範囲内の一定距離だけ離れた前記反射部と前記透過部間の第２境界線を有し、前記反射部に位置する半透過型カラーフィルタの透過率が前記透過部に位置する半透過型カラーフィルタの透過率より高い半透過型カラーフィルタと、
前記半透過型カラーフィルタの上部に形成された共通電極と、
前記画素電極と前記共通電極間に設けられた液晶層とを含むことを特徴とする半透過型液晶表示装置。
【請求項２】
前記第２境界線は、凹凸を繰り返す形状であることを特徴とする請求項１に記載の半透過型液晶表示装置。
【請求項３】
前記第２境界線は、前記第１境界線に比較すると、少なくとも一対の凹部と凸部を有する形状であることを特徴とする請求項１に記載の半透過型液晶表示装置。
【請求項４】
前記少なくとも一対の凹部と凸部は、四角形、三角形、円と多角形中の１つであることを特徴とする請求項３に記載の半透過型液晶表示装置。
【請求項５】
前記第１境界線と前記第２境界線間の一定距離は２〜５０μｍの範囲であることを特徴とする請求項１に記載の半透過型液晶表示装置。
【請求項６】
前記反射部に位置する半透過型カラーフィルタは、前記透過部に位置する半透過型カラーフィルタと顔料濃度が異なることを特徴とする請求項１に記載の半透過型液晶表示装置。
【請求項７】
前記反射部に位置する半透過型カラーフィルタは、前記透過部に位置する半透過型カラーフィルタと厚さが異なることを特徴とする請求項１に記載の半透過型液晶表示装置。
【請求項８】
前記第２境界線は、前記第１境界線の内部に位置することを特徴とする請求項１に記載の半透過型液晶表示装置。
【請求項９】
反射部と透過部を有する半透過型液晶表示装置において、
相互に対向する第１及び第２基板と、
前記第２基板の内側表面に形成され、前記反射部と前記透過部間の第１境界線を有する画素電極と、
前記第１基板の内側表面に形成され、前記反射部と前記透過部間の第１境界線をその内部を通過するように配置された、光をフィルタしない多数個の光透過領域を有するカラーフィルタと、
前記カラーフィルタの上部に形成された共通電極と、
前記画素電極と前記共通電極間に設けられた液晶層とを含むことを特徴とする半透過型液晶表示装置。
【請求項１０】
前記光透過領域は、カラーフィルタ樹脂が形成されない多数個の領域であることを特徴とする請求項９に記載の半透過型液晶表示装置。
【請求項１１】
前記光透過領域は、対称形状であることを特徴とする請求項９に記載の半透過型液晶表示装置。
【請求項１２】
前記光透過領域は、相互に離れた多数個のホールによって構成され、前記反射部に含まれる前記多数個のホールが前記透過部に含まれる前記多数個のホールよりさらに大きい面積を有することを特徴とする請求項９に記載の半透過型液晶表示装置。
【請求項１３】
前記多数個のホールは、合着公差範囲内の直径を有することを特徴とする請求項１２に記載の半透過型液晶表示装置。
【請求項１４】
前記直径は、２〜５０μｍの範囲にあることを特徴とする請求項１３に記載の半透過型液晶表示装置。
【発明の詳細な説明】
【０００１】
【発明の属する技術分野】
本発明は液晶表示装置に係り、特に、半透過型液晶表示装置に関する。
【０００２】
【従来の技術】
近年、液晶表示装置は、消費電力が低く、携帯性が良好で、技術集約的であり、付加価値が高い次世代先端表示素子として脚光を浴びている。
【０００３】
一般的に、液晶表示装置は薄膜トランジスタを含むアレー基板とカラーフィルタ基板間に液晶を注入して、前記液晶の異方性による光の屈折率の差を利用して映像効果を得る非発光素子を意味する。
【０００４】
このような液晶表示装置では、前記アレー基板の下部に位置したバックライトと称する光源によって映像を表現する方式を利用してきた。
【０００５】
しかし、バックライトから入射した光は、液晶表示装置の各セルを通過する過程で損失して、実際に画面上には約７％程度のみ透過される。したがって、高輝度が要求される液晶表示装置ではバックライトには一層大きな明るさが要求されることになり、前記バックライトによる電力消費が大きくなる。
【０００６】
したがって、十分なバックライトの電源供給のためには電源供給装置の容量を大きくして、重量の大きなバッテリーを用いてきた。しかし、これも使用時間には限界があった。
【０００７】
このような問題点を解決するために、最近、バックライトを用いない反射型液晶表示装置が提案されている。
【０００８】
この反射型液晶表示装置は、外部光を利用して作動するので、バックライトが消耗する電力量を大幅に削減する効果があるため、携帯状態で長時間の使用が必要な電子手帳やＰＤＡ（Personal Digital Assistant）などの携帯用表示素子で利用されている。
【０００９】
このような反射型液晶表示装置は、反射特性を有する不透明な物質で画素電極を形成することによって、バックライトの代わりに外部光を反射させて画像を表示する。
【００１０】
しかし、この反射型液晶表示装置は、光源を別に置かないので消費電力が小さい長所を有するが、外部光が弱い場所や外部光がない場所では使用できない短所がある。そこで、この反射型液晶表示装置とバックライトを併用して、透過型液晶表示装置の長所を利用した半透過型（transflective）液晶表示装置が研究／開発された。
【００１１】
ところで、光の反射を利用する反射モードと光の透過を利用する透過モードの間で光効率を増大させるためには、液晶の位相差の値δが２つのモードの間で一致しなければならない。
【００１２】
前記液晶の位相差の値は下記式のように定義される。
δ＝Δｎ・ｄ
（δ：液晶の位相差の値、Δｎ：液晶の屈折率、ｄ：セルギャップ）
すなわち、半透過型液晶表示装置では透過部のセルギャップを反射部のセルギャップより大きくして液晶の位相差の値を一定に維持する必要がある。
【００１３】
前記の理論を適用して、反射部と透過部のセルギャップを相異なるように構成する方式の半透過型液晶表示装置が提案された。
【００１４】
図１は従来の半透過型液晶表示装置の概略的な断面図である。
図示したように、従来の半透過型液晶表示装置にはカラーフィルタ基板である上部基板１とアレー基板である下部基板２が一定間隔だけ離隔して対向しており、この上部及び下部基板１、２間には液晶層２０が設けられており、この下部基板２の下部には光を供給するバックライト３８が位置している。
【００１５】
前記上部基板１には特定波長帯の光のみを透過させるカラーフィルタ１２が形成されていて、このカラーフィルタ１２下部には液晶に電圧を印加する共通電極である上部透明電極１４が形成されている。
【００１６】
前記下部基板２は、前記液晶層２０に電圧を印加する下部透明電極３２と、この下部透明電極３２の上部に位置してこの下部透明電極３２の一部領域を露出させる透過ホール３１を有する保護層３４と、反射層３６とがこの順序で形成されている。
【００１７】
前記反射層３６と対応する両側領域は反射部ｒを構成し、前記透過ホール３１によって露出された下部透明電極３２と対応する領域は透過部ｔを構成する。
【００１８】
前記反射層３６を含む下部透明電極３２は、画素電極とも呼ばれる。
【００１９】
一方、前記反射部ｒと透過部ｔ各々の液晶層２０の高さで定義されるセルギャップは、前記２領域間の光が進む距離差を減らすために、前記透過部セルギャップｄ１が反射部セルギャップｄ２の約２倍程度の値を有するように構成される。
【００２０】
しかし、このように２モード間液晶層のセルギャップを異なるようにして光効率を同じにしても、反射部と透過部各々のカラーフィルタで光の透過回数が異なるので、２モード間色差が発生する。
【００２１】
すなわち、前記カラーフィルタ用樹脂の透過率については、光の境界面での反射であるフレネル反射を考慮しないで物質の光吸収のみを考慮する時、次のような関係が成立する。
Ｔ＝ｅｘｐ（−α・ｄ）
（Ｔ：透過率(transmittance)、α：カラーフィルタの光吸収係数、ｄ：光のカラーフィルタ内部進行距離）
【００２２】
前記の式によると、光は、入射する時１回、反射された後１回合計で２回、前記反射部のカラーフィルタを透過するが、この過程で入射した光はカラーフィルタ内部を進んだ後、光吸収係数とカラーフィルタの厚さによって該色の透過率と色再現性が決定されるので、透過率及び色再現性を相互に同一な水準に合わせようとするなら、前記反射部と透過部のｅｘｐ（−α・ｄ）の値が相互に同じになるように調整しなければならない。
【００２３】
したがって、反射部カラーフィルタの厚さｄを透過部カラーフィルタ側より薄く、望ましくは１／２になるようにしたり、または厚さは相互同一にして反射部カラーフィルタの光吸収係数αを透過部カラーフィルタ側より小さくすれば、ｅｘｐ（−α・ｄ）すなわち透過率を透過部と反射部で一定に維持することができる。
【００２４】
一般的にカラーフィルタは、厚く形成するほど色再現性が良くなり、透過率が低下する性質がある。
【００２５】
それゆえ、反射部カラーフィルタの光透過率を透過部カラーフィルタの光透過率よりも高くして、色再現性を低くする方法、または、透過部カラーフィルタの色再現性を反射部カラーフィルタの色再現性より高くして、透過率を落とす方法により、２モード間透過率及び色再現性を一定に合わせることができる。
【００２６】
参考までに、カラーフィルタのフィルタ材料には染料と顔料がある。カラーフィルタの製作方法には染色法、顔料噴射法、電着法、印刷法等があるが、液晶表示装置用カラーフィルタの製造に最も普遍的な方法は顔料噴射法である。
【００２７】
前記反射部ｒ及び透過部ｔ間の色差を減少させる構造の半透過型カラーフィルタが提案された。
【００２８】
以下、図２は反射部及び透過部に顔料濃度が相異なるカラーフィルタが形成された従来の半透過型液晶表示装置の概略的な断面図であって、前記図１の半透過型液晶表示装置と基本構造は同一であるので、重複する説明は省略する。
【００２９】
図示したように、従来の半透過型液晶表示装置では、中央部の透過部ｔと、この透過部ｔの両側に位置する反射部ｒには各々透過率が相異なる反射型及び透過型カラーフィルタ４０ａ、４０ｂが位置する。
【００３０】
前記反射型及び透過型カラーフィルタ４０ａ、４０ｂの透過率と、各モード別カラーフィルタの光吸収係数を調整することが可能であるが、具体的にはカラーフィルタの顔料濃度を反射部と透過部間で相異なるようにする方法がある。
【００３１】
前記カラーフィルタの顔料濃度と光吸収係数との間には比例関係が成立するので、前記反射型カラーフィルタ４０ａの顔料濃度を透過型カラーフィルタ４０ｂ側より低くして反射型カラーフィルタ４０ａが透過型カラーフィルタ４０ｂより透過率が高まるようにする。
【００３２】
前記反射部ｒと透過部ｔの透過率及び色再現性を相互同一に維持するためのまた他の方法では、前記２カラーフィルタ間の厚さを異なるようにする方法がある。
【００３３】
図３は、反射部及び透過部に厚さが相異なるカラーフィルタが形成された半透過型液晶表示装置の概略的な断面図であって、基本構造は、前記図１に示した液晶表示装置と同一にすることができるので、重複する説明は省略する。
【００３４】
前記半透過型液晶表示装置で、同一のカラーフィルタを利用して反射部と透過部の厚さ比を異なるようにしたカラーフィルタをＤＣＦ（dual thickness color
filter）と呼ぶ。
【００３５】
図示したように、一般的にＤＣＦを含む半透過型液晶表示装置では反射型カラーフィルタ４２ａに透明な材質でなされたバッファ層（４４）を形成して、透過型カラーフィルタ４２ｂが反射型カラーフィルタ４２ａより厚く形成されていることを特徴とする。
【００３６】
すなわち、透過型カラーフィルタの色再現性を反射型カラーフィルタより高くすることにより、結果的に２モード間の透過率及び色再現性を合わせる方法である。
【００３７】
前記ＤＣＦ方式における反射型及び透過型カラーフィルタ４２ａ、４２ｂの厚さの差は、前記バッファ層４４の高さによって調節可能なので、前記反射型及び透過型カラーフィルタ４２ａ、４２ｂの、必要な厚さ比を形成することができる。
【００３８】
以下、上述したように透過率または色再現性を異なるようにして、反射部と透過部に異なる特性を与えた半透過型カラーフィルタパターンについて、図面を参照してさらに詳細に説明する。
【００３９】
以下、図４は従来の液晶表示装置の上部基板の半透過型カラーフィルタ及び下部基板の半透過部を示す概略的な斜視図であって、上部及び下部基板の合着工程時に正常に位置合わせされた場合のものである。
【００４０】
液晶表示装置で、上部及び下部基板間の合着の程度は、各基板の設計時に与えられる公差によって決定されるが、通常、数マイクロメーター（μｍ）程度の精度が要求される。前記２基板の合着は、設定された公差以上の誤差があれば光が漏れ出て駆動時に所望の特性が得られないので、合着時の誤差が交差の範囲内になるように合着工程を行う。
【００４１】
図示したように、下部基板の半透過部４６と上部基板の半透過型カラーフィルタ４８が一定間隔だけ離隔されて対応した構造をなす。
【００４２】
さらに詳細には、前記半透過部４６及び半透過型カラーフィルタ４８各々の中央部には下部透明電極４６ｂ及び透過型カラーフィルタ４８ｂが対応するように位置して、前記中央部の周辺を囲む位置には各々反射層４６ａ及び反射型カラーフィルタ４８ａが対応するように位置するので、既存の半透過型液晶表示装置では半透過型カラーフィルタ４８の下部基板の半透過部４６間の反射部ｒ及び透過部ｔの境界と相互対応する構造を有する。
【００４３】
このように、半透過型カラーフィルタ４８の境界と下部基板の半透過部４６の境界位置を同一にする構造では、合着時に生じ得る誤差が考慮されていないために、位置合わせに誤差を生じた場合、２モード間の透過率及び色再現性に対する設計値に誤差が発生する。
【００４４】
以下、前記半透過型液晶表示装置で、上部及び下部基板間に位置合わせの誤差が発生する場合に関して、図面を参照して説明する。
【００４５】
図５は、前記図４の半透過型カラーフィルタにおいて、正しい位置合わせ及び位置合わせの誤差状態を一緒に示した図面である。
【００４６】
前記図面で、半透過型カラーフィルタ５０の反射型及び透過型カラーフィルタ５０ａ、５０ｂの境界地点には第１境界線Ａが位置して、この第１境界線Ａの右側に点線で示した第２、３境界線Ｂ、Ｃは位置合わせの誤差によって移動された図示しなかった下部基板の半透過部の境界地点を示す。
【００４７】
前記第３境界線Ｃは、第２境界線Ｂより前記第１境界線Ａとの位置合わせの誤差程度が甚だしい境界地点になる。
【００４８】
すなわち、このような構造では上、下部基板合着時に位置合わせの誤差が発生すれば透過率及び色再現性が相異なるカラーフィルタが相対モードに含まれるので、設計値と違って透過部は透過率が高まって色再現性が落ち、反射部では色再現性が高まって透過率が落ちるので、画質低下をもたらす。
【００４９】
【発明が解決しようとする課題】
上述した問題点を改善するために、本発明では半透過型カラーフィルタの反射部及び透過部間の境界が下部基板の半透過部内の境界と合着公差に準じる一定間隔だけ移動した位置にくるようにして、上部及び下部基板の合着工程で位置合わせの誤差が発生しても２モードの透過率及び色再現性を一定水準に維持することによって、画質特性が向上された半透過型液晶表示装置を提供することを目的にする。
【００５０】
【課題を解決するための手段】
前記目的を達成するために、本発明の一つの特徴によれば、反射部と透過部を有する半透過型液晶表示装置において、相互対向する第１及び第２基板と；前記第２基板の内側表面に形成され、前記反射部と前記透過部間の第１境界線を有する画素電極と；前記第１基板の内側表面に形成され、前記画素電極の第１境界線の垂直上方または下方位置に一致せずに合着公差範囲内の一定距離だけ離れた前記反射部と前記透過部間の第２境界線を有して、前記反射部に位置する半透過型カラーフィルタの透過率が前記透過部に位置する半透過型カラーフィルタの透過率より高い半透過型カラーフィルタと；前記半透過型カラーフィルタの上部に形成された共通電極と；前記画素電極と前記共通電極間に設けられた液晶層を含む半透過型液晶表示装置を提供する。
【００５１】
前記第２境界線は、凹凸を繰り返す形状であることを特徴とする。
【００５２】
前記第２境界線は、前記第１境界線から少なくとも一対の凹部と凸部を有することを特徴とする。また、前記少なくとも一対の凹部と凸部は四角形、三角形、円と多角形中の一つであることを特徴とする。
【００５３】
前記第１、２境界線間の一定距離は、２〜５０μｍの範囲であることが望ましい。
【００５４】
さらに、前記反射部に位置する半透過型カラーフィルタは、前記透過部に位置する半透過型カラーフィルタと顔料濃度が相異なることを特徴とする。
【００５５】
また、前記反射部に位置する半透過型カラーフィルタは、前記透過部に位置する半透過型カラーフィルタと厚さが相異なることを特徴とする。
【００５６】
前記第２境界線は、前記第１境界線の内部に位置することを特徴とする。
【００５７】
本発明のまた１つの特徴では、反射部と透過部を有する半透過型液晶表示装置において、相互対向する第１及び第２基板と；前記第２基板の内側表面に形成され、前記反射部と前記透過部間の第１境界線を有する画素電極と；前記第１基板の内側表面に形成され、前記反射部と前記透過部間に光をフィルタしない多数個の光透過領域を有するカラーフィルタと；前記カラーフィルタの上部に形成された共通電極と；前記画素電極と前記共通電極間に設けられた液晶層を含む半透過型液晶表示装置を提供する。
【００５８】
前記光透過領域は、カラーフィルタ樹脂が形成されない多数個の領域であることを特徴とする。
【００５９】
前記光透過領域は、対称形状であることを特徴とする。
【００６０】
前記光透過領域は、相互離れた多数個のホールで構成され、前記反射部に含まれる前記多数個のホールが前記透過部に含まれる前記多数個のホールよりさらに大きな面積を有することを特徴とする。前記多数個のホールは合着公差範囲内の直径を有することを特徴とし、前記直径は２〜５０μｍの範囲であることを特徴とする。
【００６１】
【発明の実施の形態】
以下、本発明の望ましい実施例を添付した図面を参照して説明する。
図６は、本発明の第１実施例による半透過型液晶表示装置のカラーフィルタを示す概略的な平面図であって、１つの画素に該当する半透過型カラーフィルタに対するものであり、本発明による半透過型液晶表示装置は上述した図２、図３の基本構造を適用することができる。
【００６２】
図示したように、本発明による半透過型カラーフィルタ１００の中央部には透過型カラーフィルタ１００ｂが形成されていて、この透過型カラーフィルタ１００ｂの周辺部を囲む位置には反射型カラーフィルタ１００ａが形成されており、この反射型カラーフィルタ１００ａと透過型カラーフィルタ１００ｂ間の境界部に点線で表示された境界線Ｅは図示しない上部及び下部基板が正しく位置合わせされた際、下部基板の反射部及び透過部間の境界線と対応する部分であって、この境界線Ｅを基準線にして、前記半透過型カラーフィルタ１００上には内部及び外部方向に交互に一定に突出するぎざぎざなパターンであって、画素内の反射部（Ｅ境界外郭部）は一定面積の透過型カラーフィルタ１００ｂが含まれ、画素内の透過部（Ｅ境界内部）は一定面積の反射型カラーフィルタ１００ａが含まれるようにする境界パターンＤが形成されている。
【００６３】
前記境界パターンＤの突出部分は、四角状をなすが、円形や三角形でもよい。
【００６４】
前記境界線Ｅを基準に境界パターンＤが有する内部及び外部方向の突出範囲は合着誤差範囲より大きくすることが望ましいが、それより小さな範囲内で設計されても設計値誤差を最小化できる。
【００６５】
本発明では前記境界線Ｅと境界パターンＤ間の間隔を２〜５０μｍの範囲とすることが望ましい。
【００６６】
すなわち、本発明による半透過型カラーフィルタ１００では、合着誤差範囲を考慮して反射型カラーフィルタ１００ａと透過型カラーフィルタ１００ｂ間の境界パターン（ＩＶ）を構成するので、後に上部及び下部基板の合着工程時位置合わせの誤差が発生しても合着誤差が前記境界パターン内になり、反射部と透過部間の透過率及び色再現性を設計値水準に相互一定に維持することができる。
【００６７】
前記半透過型カラーフィルタ１００は、染色法、顔料噴射法、電着法、印刷法などを利用して形成することができるが、特に、顔料噴射法によることが最も望ましい。
【００６８】
前記半透過型カラーフィルタ１００では、反射部と透過部の透過率及び色再現性を相互に合わせるために、反射型カラーフィルタ１００ａの透過率を透過型カラーフィルタ１００ｂの透過率より高く、色再現性は低く構成しなければならない。
【００６９】
このために、反射型カラーフィルタ１００ａより透過型カラーフィルタ１００ｂの顔料濃度を高めたり、透過型カラーフィルタ１００ｂを反射型カラーフィルタ１００ａより厚く形成する方法がある。
【００７０】
前記反射型カラーフィルタ１００ａの厚さと透過型カラーフィルタ１００ｂの厚さを異ならせる方法では、透明な材質のバッファ層が含まれる。
【００７１】
前記バッファ層は、別途の透明材質の物質を利用したり、またはカラーフィルタが形成される透明基板をガラス基板にする場合には、このガラス基板を反射部と透過部間に段差が生じるようにエッチングしたり、または、透明基板をプラスチック基板にする場合には、陰刻と陽刻が生じるように基板をプレスする方法を利用することができる。
【００７２】
前記バッファ層をなすパターン構造は、２モード間になすぎざぎざなパターンと対応するようにすることが望ましい。
【００７３】
反射型カラーフィルタと透過型カラーフィルタ間の顔料濃度を異なるようにして、２モードの透過率を異なるようにする方法がある。
【００７４】
すなわち、反射型カラーフィルタの顔料濃度を透過型カラーフィルタより低くして、反射型カラーフィルタが透過型カラーフィルタより透過率が高まるようにして、２モード間透過率及び色再現性を一定水準に相互合わせることである。
【００７５】
図７は、合着工程後位置合わせの誤差時にも反射部と透過部間の面積比が一定に維持されることを示す、本発明の第１実施例による半透過型液晶表示装置のカラーフィルタの概略的な平面図であって、説明の便宜上１つのカラー画素上に位置する半透過型カラーフィルタの図面によって説明する。
【００７６】
図示したように、半透過型カラーフィルタ１００の位置を基準として右側に（図示しない）下部基板の半透過部が位置合わせの誤差を生じるとすれば、反射モード及び透過モードの表示は、位置合わせの誤差が生じている境界線Ｅ’を基準になされる。
【００７７】
しかし、正常合着による２モード間境界線Ｅ及び位置合わせの誤差の生じた境界線Ｅ'における各々の反射型及び透過型カラーフィルタ１００ａ、１００ｂの面積比はそのまま維持されるので、２モード間の透過率及び色再現性を同一な水準に合わせることができる。
【００７８】
上述の方法以外に、本発明では反射型カラーフィルタと透過型カラーフィルタの透過率及び色再現性を相異なるように構成するまた他の方法であって、２モード間の境界部に設けた多数個のホールを形成して、このホールの位置が反射部に偏るように配置してこのホールを通してホワイト光が放出されるようにして２モード間の透過率及び色再現性を同一水準になるようにする方法を利用することができる。
【００７９】
以下、前記方式による半透過型カラーフィルタについて図面を参照して説明する。
【００８０】
図８は、本発明の第２実施例による半透過型液晶表示装置のカラーフィルタの概略的な平面図である。
【００８１】
図示したように、本発明の第２実施例による半透過型カラーフィルタ２００で、反射型及び透過型カラーフィルタ２００ａ、２００ｂは同一なカラーフィルタ樹脂で形成するが、代りにこの２モード間の境界部に光源をそのまま透過させることができる多数個のホール２０２を形成する。
【００８２】
この際、反射型カラーフィルタ２００ａは、透過型カラーフィルタ２００ｂより透過率は高く、色再現性は低くし、正常アライメント時に、（図示しない）下部基板の反射部及び透過部間の境界線Ｅ''と前記ホール２０２の中心軸を連結して定義される境界パターンＦが外部に位置することを特徴とする。
【００８３】
前記ホール２０２がなす各々の直径値ａは、合着公差の範囲を基準に定めて、位置合わせの誤差が発生しても設計誤差を下回るようにする。
【００８４】
前記ホール２０２は、円形以外にも他の形状にしても関係よいが、ホールを形成する工程の容易性及び安全性のために複雑でない形状にすることが望ましい。
【００８５】
一方、半透過型カラーフィルタでは透過型カラーフィルタより、反射型カラーフィルタ側が広い面積を有するように形成することが画面の輝度向上のために重要なので、このような特性を利用して、下部基板の２モード間の境界線より半透過型カラーフィルタの２モード間境界線が内部に位置するように形成する方法も可能である。
【００８６】
図９は、本発明の第３実施例による半透過型液晶表示装置のカラーフィルタの概略的な平面図である。
【００８７】
図示したように、第３実施例による半透過型カラーフィルタでは、反射型及び透過型カラーフィルタ３００ａ、３００ｂ間の第１境界線Ｇが、図示しなかった下部基板の半透過部の第２境界線Ｈより内部に位置するように形成することを特徴とする。
【００８８】
この際、前記実施例による半透過型カラーフィルタ３００は、他の実施例による半透過型カラーフィルタ３００に比較すれば、反射型カラーフィルタ３００ａの面積が拡大して、透過型カラーフィルタ３００ｂの面積は減少するので、他の実施例に比較すると、透過型カラーフィルタ３００ｂの色再現性をさらに高めて、透過率をさらに低くすることが望ましい。
【００８９】
前記第１、２境界線Ｇ、Ｈがなす間隔は、合着公差を考慮して設計することによって、位置合わせの誤差が発生しても、設計値に対する誤差を最小化することができる。
【００９０】
しかし、本発明による半透過型カラーフィルタを含む液晶表示装置は、前記実施例に限らず、本発明の趣旨の限度内で多様に変更して実施しても差し支えない。
【００９１】
【発明の効果】
このように、本発明による半透過型カラーフィルタ内の境界は、下部基板の半透過部の境界と合着公差に準じる一定間隔ほど内部または外部側に位置させることによって、上部及び下部基板間に位置合わせの誤差が発生しても、反射部での透過型カラーフィルタが占める面積比や、透過部での反射型カラーフィルタが占める面積比を一定に維持することができるので、２モード間の透過率及び色再現性を同一水準に合わせることができ、優れた画質特性を有する半透過型液晶表示装置を提供することができる。
【図面の簡単な説明】
【図１】  従来の半透過型液晶表示装置の概略的な断面図。
【図２】  反射部及び透過部に顔料濃度が相異なるカラーフィルタが形成された従来の半透過型液晶表示装置の概略的な断面図。
【図３】  反射部及び透過部に厚さが相異なるカラーフィルタが形成された半透過型液晶表示装置の概略的な断面図。
【図４】  従来の液晶表示装置の上部基板の半透過型カラーフィルタ及び下部基板の半透過部を示す概略的な斜視図。
【図５】  従来の液晶表示装置において、正しい位置合わせ及び位置合わせの誤差が生じた状態を示す概略的な平面図。
【図６】  本発明の第１実施例による半透過型液晶表示装置のカラーフィルタを示す概略的な平面図。
【図７】  合着工程後位置合わせの誤差時にも反射部と透過部間の面積比が一定に維持されることを示す、本発明の第１実施例による半透過型液晶表示装置のカラーフィルタの概略的な平面図。
【図８】  本発明の第２実施例による半透過型液晶表示装置のカラーフィルタの概略的な平面図。
【図９】  本発明の第３実施例による半透過型液晶表示装置のカラーフィルタの概略的な平面図。
【符号の説明】
１００ａ：反射型カラーフィルタ
１００ｂ：透過型カラーフィルタ
１００：半透過型カラーフィルタ
Ｄ：境界パターン
Ｅ：境界線
【図１】
0003917904.tif 000002
【図２】
0003917904.tif 000003
【図３】
0003917904.tif 000004
【図４】
0003917904.tif 000005
【図５】
0003917904.tif 000006
【図６】
0003917904.tif 000007
【図７】
0003917904.tif 000008
【図８】
0003917904.tif 000009
【図９】
0003917904.tif 000010